(57)【要約】      （修正有）【課題】人の生活環境に対応して配光態様を時間的に変化させることが可能となるとともに、変幻な光の照射による動的視覚効果により意匠性の優れた照明器具を提供する。【解決手段】内面に複数の発光素子を配設したリング状枠体の内部空間内に、直径が順次小径となる複数のシェードリングを積層状態に配置するとともに、前記複数のシェードリングを前記リング状枠体の対向する２側端から駆動スピンドルで軸支する一方、該駆動スピンドルの基端を前記リング状枠体内に設けた扁平モータに回転可能となるように接続してなり、前記扁平モータの駆動に伴って前記複数のシェードリングを展開させ、前記複数の発光素子による配光態様が変化するようにしたシェードユニットとなるようにする。【選択図】図１
2014022358.tif 000002
【特許請求の範囲】
【請求項１】
内面に複数の発光素子を配設したリング状枠体の内部空間内に、直径が順次小径となる複数のシェードリングを積層状態に配置するとともに、前記複数のシェードリングを前記リング状枠体の対向する２側端から駆動スピンドルで軸支する一方、該駆動スピンドルの基端を前記リング状枠体内に設けた扁平モータに回転可能となるように接続してなり、
前記扁平モータの駆動に伴って前記複数のシェードリングを展開させ、前記複数の発光素子による配光態様が変化するようにしたシェードユニットを備えたことを特徴とする照明器具。
【請求項２】
前記駆動スピンドルが貫通する前記シェードリングの貫通孔の部位にシェードリング間の所定の間隔を維持するリング状のスペーサが配置されており、該スペーサの側部から延設した支棹の先端から垂下するガイドピンを前記シェードリングの係止孔に係合してなることを特徴とする請求項１記載の照明器具。
【請求項３】
前記スペーサの支棹が最外周から最内周にかけて順次長くなるようにして先端のガイドピンを各シェードリングに係合してなり、前記スペーサを駆動スピンドルで同時に回転するようにしたことを特徴とする請求項２記載の照明器具。
【請求項４】
前記シェードユニットのシェードリングが不透光性の材質であることを特徴とする請求項１記載の照明器具。
【請求項５】
前記シェードユニットのシェードリングが減光性の材質であることを特徴とする請求項１記載の照明器具。
【請求項６】
前記シェードユニットのシェードリングが減光性の材質であって光輝性粒子が混入されていることを特徴とする請求項１記載の照明器具。
【請求項７】
旋回可能となるようにした円形ターンテーブルの中央部に凹陥曲面を形成し、該凹陥曲面の底部に同方向に回転する２本のローラを配置して台座ユニットを構成し、前記２本のローラ上に請求項１記載のシェードユニットを載置してなることを特徴とする照明器具。
【請求項８】
前記円形ターンテーブルが１２時間で一周し、前記シェードユニットが６０分で一周するようにしたことを特徴とする請求項７記載の照明器具。
【発明の詳細な説明】
【技術分野】
【０００１】  本発明は、配光態様が時間の経過とともに変化して動的視覚効果も得られるようにした照明器具に関する。
【背景技術】
【０００２】  一般に照明器具は機能性が先行して重視されることから、大多数の照明器具は照度が一定の静止光で配光するようにしている。このような場合、人の心理面への配慮から照明光の色温度を配慮し、あるいは間接照明により刺激を緩和するような工夫がなされる。また、インテリア性が要求されるディスクスタンド、フロアースタンドのような照明器具においては、洋風あるいは和風として外観に意匠を凝らすようにしているものの、配光自体は単に明暗を調整する程度のものである。【０００３】  このように、明暗以外の調光が可能となるようにしてディスプレイ効果が得られるようにした例はきわめて乏しいが、寝室のベッドサイドにおいてシチュエーションに応じて光の照射方向を人為的に変更し、上向きによる部屋全体の地灯り、横向きによる読書などのディスク光、下向きによる常夜灯とする照明器具が提案されている（特許文献１参照）。しかしながら、この特許文献１に開示された照明器具による場合においても機能性を重視したものであり、照明器具自体にディスプレイ効果が得られるようにしたものではない。
【先行技術文献】
【０００４】
【特許文献１】特開２００７−２００７０１
【発明の概要】
【発明が解決しようとする課題】
【０００５】  ところで、特に室内における照明光が醸し出す照明文化はますます重視される傾向にあり、良好な夜間睡眠確保に役立つ光環境整備、あるいは光の非視覚的生理作用と睡眠についての研究報告が日本睡眠学会や睡眠環境シンポジウムにおいて発表されており、睡眠と照明の関係が重視される傾向にある。【０００６】  睡眠の導入は個人差のあるものであるが、睡眠が照明の影響を受けるのは、子供の場合に顕著である。子供は真っ暗闇が怖いということで、親が一晩中、照明を煌々とさせている場合は、睡眠を導入して深い眠りを維持するメラトニンの分泌量が減少し、将来不眠症の原因になるとも考えられている。また、メラトニンは若返りホルモンであり抗酸化作用があることから、より確実に活性酸素を退治することができるのであるが、照明を点灯したままの睡眠はこうした働きが低下して病気がちになる可能性がある。したがって、就寝時は明るく点灯していても就眠中には少なくとも暗灯となるような自動調光が理想的となる。【０００７】  一方、成人の場合においても、暗いことが怖いという人間本来の本能が無意識に作用し、スタンドを明るくして就寝する例が多くある。就寝中の点灯を継続すると、光が瞼を通して瞳孔を小さくするため虹彩筋の収縮が継続し、網膜では視物質であるロドプシンが分解しつづけ、視細胞に影響を及ぼす結果となることから、就寝中は減光されるようにしなければならない。また、就寝時に読書をするような場合が多々あるが、次第に照明光量が減少してくると睡眠が導入される生理・心理効果が得られ、スタンドの消し忘れのような状態を回避できるようにするため、やはり自動調光機能を備えていることが理想的となる。【０００８】  また、上述したようにスタンド型の照明器具は据え置いたままの状態であるのが一般的な使用態様であり、照明部分の形態や配光態様が時間的に変化するものではない。しかしながら、形態や配光態様を時間的に変化させることが可能になれば、格段のディスプレイ効果が得られることになり、照明器具としての新たな使用態様を拓くことが可能となる。【０００９】  本発明は、上記課題を解決するためになされたもので、人の生活環境に対応して配光態様を時間的に変化させることが可能となるようにするとともに、変幻な光の照射による道程視覚効果が得られ、実用機能とともに審美性の高い照明器具を提供することを目的とするものである。
【課題を解決するための手段】
【００１０】  そこで本発明は、以下に述べる核手段により上記課題を解決するようにした。即ち、請求項１記載の発明では、内面に複数の発光素子を配設したリング状枠体の内部空間内に、直径が順次小径となる複数のシェードリングを積層状態に配置するとともに、前記複数のシェードリングを前記リング状枠体の対向する２側端から駆動スピンドルで軸支する一方、該駆動スピンドルの基端を前記リング状枠体内に設けた扁平モータに回転可能となるように接続してなり、前記扁平モータの駆動に伴って前記複数のシェードリングを展開させ、前記複数の発光素子による配光態様が変化する照明器具となるようにする。【００１１】  請求項２記載の発明では、上記請求項１記載の照明器具において、駆動スピンドルが貫通する前記シェードリングの貫通孔の部位にシェードリング間の所定の間隔を維持するリング状のスペーサが配置されており、該スペーサの側部から延設した支棹の先端から垂下するガイドピンを前記シェードリングの係止孔に係合させる。【００１２】  請求項３記載の発明では、上記請求項２記載の照明器具において、スペーサの支棹が最外周から最内周にかけて順次長くなるようにして先端のガイドピンを各シェードリングに係合してなり、前記スペーサを駆動スピンドルで同時に回転させる。【００１３】  請求項４記載の発明では、上記請求項１記載の照明器具において、シェードユニットのシェードリングが不透光性の材質であるようにする。【００１４】  請求項５記載の発明では、上記請求項１記載の照明器具において、シェードユニットのシェードリングが減光性の材質であるようにする。【００１５】  請求項６記載の発明では、上記請求項１記載の照明器具において、シェードユニットのシェードリングが減光性の材質であって光輝性粒子が混入されているようにする。【００１６】  請求項７記載の発明では、旋回可能となるようにした円形ターンテーブルの中央部に凹陥曲面を形成し、該凹陥曲面の底部に同方向に回転する２本のローラを配置して台座ユニットを構成し、前記２本のローラ上に請求項１記載のシェードユニットを載置してなる照明器具となるようにする。【００１７】  請求項８記載の発明では、上記請求項７記載の照明器具において、円形ターンテーブルが１２時間で一周させ、前記シェードユニットを６０分で一周させる。
【発明の効果】
【００１８】  本発明によれば、人の生活環境に対応して配光態様を時間的に変化させることが可能となるとともに、変幻な光の照射による動的視覚効果が得られ、実用機能とともに審美性の優れた照明器具を提供することができる。
【図面の簡単な説明】
【００１９】
【図１】本発明の照明器具の正面図である。
【図２】本発明の照明器具の側面図である。
【図３】本発明の照明器具の台座ユニットの平面図である。
【図４】本発明の照明器具のシェードリングの駆動機構の構成図である。
【図５】本発明の照明器具のシェードリングの駆動部の組立図である。
【図６】本発明の照明器具のシェードリングの駆動原理の説明図である。
【図７】本発明の照明器具のシェードリングの断面形状の例を示す図である。
【図８】本発明の照明器具のシェードリングの断面形状の例を示す図である。
【図９】本発明の照明器具の台座ユニットの構成図である。
【図１０】本発明の照明器具の態様の変化の例を示す図である。
【発明を実施するための形態】
【００２０】  本発明の実施形態を図に基づいて以下に説明する。本発明の照明器具は、照明光を発するシェードユニットＡと、このシェードユニットＡを回転および旋回させる台座ユニットからなり、図１に本発明の照明器具全体の正面図、図２に側面図を示し、図３に台座ユニットの平面図を示す。
【００２１】  同各図において、符号１は本発明の照明器具のシェードユニットＡを構成するためのリング状枠体であり、内周面に複数の発光素子（ＬＥＤ）２を配設し、対向する２側端には扁平モータ３ａ、３ｂを設ける。前記リング状枠体１の外表面には２本のリード導電体４ａ、４ｂが外周面に沿って配設されており、台座ユニットＢから前記発光素子２および扁平モータ３ａ、３ｂへ直流電源の供給が可能となるようにしている。図４に示すように前記扁平モータ３ａ、３ｂの駆動軸３ａ−１、３ｂ−１は、駆動スピンドル５ａ、５ｂの頂部の係合凹部５ａ−２、５ｂ−２と接続し、適宜手段により両者を固定する。
【００２２】  前記リング状枠体１の内部空間内には、外周から内周に向かうに従い直径が順次小径となる複数（本実施例では６枚）のシェードリング６ａ〜６ｆが、図５に示すように積層するように配置される。なお、シェードリング６ａ〜６ｆは、不透光性、減光性、減光性であって光輝性粒子が混入されたものなど任意の材質のものを選択し得る。前記シェードリング６ａ〜６ｆは前記扁平モータ３ａ、３ｂの駆動軸３ａ−１、３ｂ−１から垂下する駆動スピンドル５ａ、５ｂにより支持されるのであるが、リング状枠体１とシェードリング６ａ間およびシェードリング６ａ〜６ｆ間が所定の間隔に保たれるようにリング状のスペーサ７ａ〜７ｆを介在させるようにしている。
【００２３】  前記スペーサ７ａ〜７ｆは、図４に示すようにスペーサ７ａ〜７ｆの側部から延設した支棹７ａ−１〜７ｆ−１の先端から垂下するガイドピン７ａ−２〜７ｆ−２を備える。なお、前記スペーサ７ａ〜７ｆの支棹７ａ−１〜７ｆ−１は、最外周にあるスペーサ７ａの支棹７ａ−１が最も短く、最内周にかけて順次長くなるようにしてあり、最内周にあるスペーサ７ｆの支棹７ｆ−１が最も長いものとなる。
【００２４】  このように構成されたスペーサ７ａ〜７ｆは、シェードリング６ａ〜６ｆの貫通孔６ａ−１〜６ｅ−１部位に配置し、支棹７ａ−１〜７ｆ−１のガイドピン７ａ−２〜７ｆ−２をシェードリング６ａ〜６ｆの係止孔６ａ−２〜６ｆ−２係合する。そして、スペーサ７ａ〜７ｆの内周の同位置に形成したキー溝７ａ−３〜７ｆ−３に駆動スピンドル５ａ、５ｂのキー５ａ−１、５ｂ−１を挿通しスペーサ７ａ〜７ｆが同時に回転するようにする。
【００２５】  なお、駆動スピンドル５ａ、５ｂの下端部の係合凹部５ａ−３、５ｂ−３は、シェードリング６ｆの他のシェードリング６ａ〜６ｅに形成した貫通孔６ａ−１〜６ｅ１と中心が一致する位置に形成した起立ピン６ｆ−３に回転可能に嵌合し、駆動スピンドル５ａ、５ｂからの脱落を防止できるようにしている。
【００２６】  シェードユニットＡは以上のように構成されていることから、扁平モータ３ａ、３ｂが駆動され駆動スピンドル５ａ、５ｂが回転し、スペーサ７ａ〜７ｆが同時に同方向に回転したとき、図６に示すように支棹７ａ−１の回転角が最も小さく、順次外周に向けて回転角が大きくなり、支棹７ｆ−１の回転角が最も大きくなる。即ち、シェードリング６ａ〜６ｆのすべてがリング状枠体１の内部に垂直に収まっている図１に示す状態からシェードリング６ａが最も小さく展開し、隣り合うシェードリング６ｂ〜６ｆが順次大きく展開してシェードリング６ｆが最も多き大い展開を示すことになる。
【００２７】  図７は、シェードリング６ａ〜６ｆの展開の状態を例示するもので、断面が扁平矩形状であるものを採用している。一方、図８の例示では、断面が扁平紡錘状であるものを採用し、これによりシェードリング間の開口の程度を任意に設定することができ、シェードリング同志の接触の確立を小さくすることが可能となる。
【００２８】  つぎに、上述したシェードユニットＡを旋回および／または回転させるための図９に示す台座ユニットＢの構成について説明する。同図に示すように台座ユニットＢの中央部に凹陥曲面８ａを形成した円形ターンテーブル８を配置するようにしている。この円形ターンテーブル８は端部が台座ケース１０のフランジ１０ａに設けられた複数のローラ９に回転可能に支持されている。
【００２９】  前記円形ターンテーブル８の内面に垂下する筒状体８ｂが一体に形成されており、この筒状体８ｂの開放端部に円形ラックギヤ８ｃが形成されている。そして、台座ケース１０の底部に固定されたステッピングモータ１１の出力軸に固定されたピニオンギヤ１２が前記円形ラックギヤ８ｃに歯合し、ステッピングモータ１１の駆動に伴って筒状体８ｂ、即ち、円形ターンテーブル８が旋回するようにしている。
【００３０】  一方、前記円形ターンテーブル８に形成した凹陥曲面８ａの底部には、２本の転動ローラ１３が円形ターンテーブル８に回転可能に軸支されている。前記円形ターンテーブル８の裏面にはステッピングモータ１６が固定されており、該ステッピングモータ１６の出力軸に固定された駆動ローラ１５の回転力が伝動ローラ１４を介して前記転動ローラ１３を同方向に回転する。
【００３１】  なお、前記ステッピングモータ１６を回転するための電源制御部２０から供給されるパルス信号は、前記筒状体８ｂの外周面を囲繞するように連続して設けられた２本のリード導電体１７ａ、１７ｂに電気接触子１８ａ、１８ｂを介して供給される。また、円形ターンテーブル８の凹陥曲面８ａの前記シェードユニットＡのリング状枠体１の外表面に形成したリード導電体４ａ、４ｂに対応する部位に電気接触子１９ａ、１９ｂを配設する。この電気接触子１９ａ、１９ｂは前記筒状体８ｂの外表面を囲繞するように連続して設けられた２本のリード導電体２１ａ、２１ｂと接触し、これにより、電源制御部２０からの直流電源が扁平モータ３ａ、３ｂおよび発光素子２へ供給されるようになる。
【００３２】  台座ユニットＢは以上のように構成されているので、２本の転動ローラ１３上にシェードユニットＡを載置した状態で、パルスモータ１１を駆動すると、円形ターンテーブル８とともにシェードユニットＡが旋回し、パルスモータ１６を駆動すると、シェードユニットＡが回転する。なお、電源制御部２０に切り換えスイッチを設けておくことにより、旋回または回転のみ、または旋回と回転を同時に行うことができる。
【００３３】  また、シェードリング６ａ〜６ｆの扁平モータ３ａ、３ｂによる展開を行いながら、円形ターンテーブル８を１２時間で１回転させるとともに、シェードユニットＡを６０分で１回転させることにより、シェードユニットＡの形態および発光素子２による照明光の配光の変化が時々刻々変化し、その変化状態から推測して現在時刻を観念的に把握することができる。なお、図１０にシェードリング６ａ〜６ｆを展開しつつ、シェードユニットＡの旋回と回転を同時に行った場合の態様の変化の例を示す。
【００３４】  以上詳細に説明したように本発明の照明器具によれば、人の生活環境に対応して配光態様を時間的に変化させることが可能になるとともに、変幻な光の照射による動的視覚効果により審美性の優れた照明器具とすることができ、多彩な用途に対応することができる。
【符号の説明】
【００３５】Ａ・・・・・・・シェードユニット
Ｂ・・・・・・・台座ユニット
１・・・・・・・リング状枠体
２・・・・・・・発光素子（ＬＥＤ）
３ａ、３ｂ・・・扁平モータ
４ａ、４ｂ・・・リード導電体
５ａ、５ｂ・・・駆動スピンドル
６ａ〜６ｆ・・・シェードリング
７ａ〜７ｆ・・・スペーサ
８・・・・・・・円形ターンテーブル
９・・・・・・・ローラ
１０・・・・・・台座ケース
１１・・・・・・スピンドルモータ
１２・・・・・・ピニオンギヤ
１３・・・・・・転動ローラ
１４・・・・・・伝動ローラ
１５・・・・・・駆動ローラ
１６・・・・・・ステッピングモータ
１７ａ、１７ｂ・・・リード導電体
１８ａ、１８ｂ・・・電気接触子
１９ａ、１９ｂ・・・電気接触子
２０・・・・・・電源制御部
【図１】
2014022358.tif 000003
【図２】
2014022358.tif 000004
【図３】
2014022358.tif 000005
【図４】
2014022358.tif 000006
【図５】
2014022358.tif 000007
【図６】
2014022358.tif 000008
【図７】
2014022358.tif 000009
【図８】
2014022358.tif 000010
【図９】
2014022358.tif 000011
【図１０】
2014022358.tif 000012